(57)【要約】      （修正有）【課題】筒状のバッグ本体の変形抵抗能力が補強されたゴルフバッグを提供する。【解決手段】波紋付き内壁１１を有するゴルフバッグは、筒状のバッグ本体１と、筒状のバッグ本体の底部を閉塞するための硬質な基底盤２と、筒状のバッグ本体の開口部に取付けられた硬質なフレーム３とを備える。筒状のバッグ本体の内壁１１が環状、或いは螺旋状、或いは斜線状、或いは縦線状の波紋付きの板状部材から構成されることで、筒状のバッグ本体の変形抵抗能力が補強される。【選択図】図２
0003164273.tif 000002
【実用新案登録請求の範囲】
【請求項１】
筒状のバッグ本体（１）と、筒状のバッグ本体（１）の底部を閉塞するための硬質な基底盤（２）と、筒状のバッグ本体の開口部に取付けられた硬質なフレーム（３）とを備える波紋付き内壁を有するゴルフバッグであって、
前記筒状のバッグ本体（１）の内壁（１１）が波紋付きの板状部材から構成されることを特徴とする波紋付き内壁を有するゴルフバッグ。
【請求項２】
前記波紋付きの板状部材から構成される内壁（１１）の波紋は、環状、螺旋状、斜線状、縦線状の何れかに形成されることを特徴とする
請求項１に記載のゴルフバッグ。
【請求項３】
前記波紋付きの板状部材から構成される内壁（１１）の波紋は連続的に形成されることを特徴とする
請求項２に記載のゴルフバッグ。
【請求項４】
前記波紋付きの板状部材から構成される内壁（１１）の波紋は非連続的に形成されることを特徴とする
請求項２に記載のゴルフバッグ。
【請求項５】
前記波紋付きの板状部材から構成される内壁（１１）の波紋は間欠的に連続するように形成されることを特徴とする
請求項２に記載のゴルフバッグ。
【請求項６】
前記波紋の断面形状は円弧状であることを特徴とする
請求項３、４又は５に記載のゴルフバッグ。
【請求項７】
前記波紋の断面形状は四角状であることを特徴とする
請求項３、４又は５に記載のゴルフバッグ。
【請求項８】
前記波紋の断面形状は三角形であることを特徴とする
請求項３、４又は５に記載のゴルフバッグ。
【請求項９】
前記波紋の断面形状は波状であることを特徴とする
請求項３、４又は５に記載のゴルフバッグ。
【請求項１０】
前記波紋の断面形状は台形状であることを特徴とする
請求項３、４又は５に記載のゴルフバッグ。
【考案の詳細な説明】
【技術分野】
【０００１】
本考案はゴルフ用品に関するもので、特に各タイプのゴルフバッグに適用できるような、バッグ本体構造の改良に関するものである。
【背景技術】
【０００２】
生活レベルの向上及び上品なスポーツへの人々の憧れに応じて、ゴルフが世界中に段々普及してきている。ゴルフプレーヤはいつもゴルフバッグでクラブを持ち運ぶ。ゲーム前後やゲーム中において、バッグを長い時間持っていたり頻繁に移動したりするため、ゴルフバッグの軽量化と強固性がかなり重要である。
【０００３】
ゴルフバッグとして、普通、筒状のバッグ本体と、筒状のバッグ本体の底部を閉塞するために設けられる硬質な基底盤と、筒状のバッグ本体の開口部に配置される硬質なフレームとを備えるものが知られている。従来のゴルフバッグでは、筒状のバッグ本体の内壁に硬質な板状プラスチック材を使用する場合が多い。この場合、筒状のバッグ本体の強度と剛性を確保するためには、板状プラスチック材の厚みを十分にせねばならない。この場合、バッグの軽量化の実現が難しい。一方、ゴルフバッグの筒状バッグ本体の内壁を構成する板状プラスチック材の厚みを薄くすることによってバッグの軽量化を図る場合、バッグの耐荷重及び寿命に悪影響が生ずる。
【考案の概要】
【考案が解決しようとする課題】
【０００４】
本実用新案は解決しようとする技術課題は、上記従来技術に存在している欠点を無くして、バッグ本体の剛性を確保すると共に軽量化を実現できるゴルフバッグを提供することである。
【課題を解決するための手段】
【０００５】
上記課題を解決するために、本実用新案によるゴルフバッグは波紋付きの内壁を備えるゴルフバッグであって、筒状のバッグ本体と、筒状のバッグ本体の底部を閉塞するために設けられた硬質な基底盤と、筒状のバッグ本体の開口部に配置された硬質なフレームとを備えるゴルフバッグである。上記筒状のバッグ本体の内壁は波紋付きの板状部材から構成されており、上記波紋付きの板状部材の波紋は、環状、螺旋状、斜線状、又は縦線状の何れであっても良く、何れも筒状バッグ本体の変形抵抗能力を補強できる。該考案によれば、内壁の板状部材の厚みを増やすことなく、ゴルフバッグの耐荷重を明らかに向上させることができる。また、同様なレベルの耐荷重を満足させるために、内壁を構成する板状部材の所要厚みが明らかに薄くなる。
【０００６】
また、上記波紋は連続的に形成されても良いし、非連続的に形成されても良い。或いは間欠的に連続するように形成されても良い。波紋の断面は円弧状、四角状、三角形、波状又は台形状の何れに形成した場合でも内壁の剛性を補強することができるため、上記形状の何れとしても構わない。
【考案の効果】
【０００７】
従来の技術に比べて本実用新案は下記の効果を奏することができる。
１、ゴルフバッグ自身の重量をより軽量化にすることができる。
２、ゴルフバッグの耐荷重を上げることができる。
【図面の簡単な説明】
【０００８】
【図１】図１はゴルフバッグの内壁を環状の波紋とした実施例を示す図である。
【図２】図２はゴルフバッグの内壁を縦線状の波紋とした実施例を示す図である。
【図３】図３はゴルフバッグの内壁を斜線状の波紋とした実施例を示す図である。
【図４】図４は連続的に形成された６種の波紋の断面をそれぞれ示す図である。
【図５】図５は間欠的に連続するように形成された６種の波紋の断面それぞれを示す図である。
【図６】図６は断面形状の異なる６種の波紋が交互に連続する状態を示す図である。
【考案を実施するための形態】
【０００９】
次に図を参照しながら本考案の実施例を説明する。
【００１０】
図１に示すように、本考案の１実施例に係るゴルフバッグは環状波紋付きの内壁を備えるゴルフバッグである。該実施例において、筒状のバッグ本体１の下端部に、筒状のバッグ本体１の底部を閉塞するための硬質な基底盤２が取付けられている。筒状のバッグ本体１の上端部に、筒状のバッグ本体１の開口部の形状が一定となるように硬質なフレーム３が取付けられている。筒状のバッグ本体１の内壁１１に形成された環状の波紋は、主に筒状のバッグ本体１の横方向変形への抵抗能力を補強するものとして機能する。
【００１１】
図２に示すように、本考案の他の実施例に係るゴルフバッグは縦線状波紋付きの内壁を備えるゴルフバッグである。内壁１１に形成された縦線状の波紋は、主に筒状のバッグ本体１の縦方向変形への抵抗能力を補強するものとして機能する。
【００１２】
図３に示すように、本考案の他の実施例に係るゴルフバッグは斜線状波紋付きの内壁を備えるゴルフバッグである。内壁１１に形成された斜線状の波紋は、筒状のバッグ本体１の縦方向変形への抵抗能力を補強するとともに、横方向変形への抵抗能力を補強するものとして機能する。
【００１３】
筒状のバッグ本体１の波紋付き板状部材から構成される内壁１１の波紋は、連続的に形成されて良い。内壁１１の断面は、図４に示すように、三角形、四角状、円弧状、波状、台形状のいずれかの形状の波紋が連続的に形成されている。波紋付き板状部材は何れも筒状に構成されるものであるが、その波紋の方向を横とした場合は環状の波紋となり、波紋の方向を小さな角度で斜めにした場合は螺旋状の波紋となり、また、波紋の方向を大きな角度で斜めにした場合は斜線状の波紋となり、縦方向とした場合は縦線状の波紋となる。何れも内壁１１の剛性を補強することができる。
【００１４】
筒状のバッグ本体１の波紋付きの板状部材から構成される内壁１１の波紋は、間欠的に連続するように形成されても良い。図５は、平板部と６種の断面形状の何れかに形成された波紋部とが交互に設けられた内壁１１を示している。
【００１５】
筒状のバッグ本体１の波紋付きの板状部材から構成される内壁１１の波紋は、断面形状の異なる波紋同士が交互に連続するように形成されても良い。図６は６種の断面形状の波紋が交互に連続するように形成された内壁１１を示している。
【００１６】
また、筒状のバッグ本体１の波紋付き板状部材から構成される内壁１１の波紋は、非連続的に形成されても良い。即ち、内壁１１は平板部と、何れかの断面形状を有する１つの波紋からなる波紋部とが交互に連続するように構成される。このような構成によっても、内壁１１の剛性を補強することができる。ただし本明細書の添付図面にはこのような構成は示されていない。
【００１７】
内壁１１において、筒状のバッグ本体１と硬質な基底盤２との連結部付近の部分には波紋が形成されなくても良い。また、内壁１１において、筒状のバッグ本体１と硬質なフレーム３との連結部付近の部分にも波紋が形成されなくても良い。更に、内壁１１において、筒状のバッグ本体１と取っ手４との連結部付近の部分にも波紋が形成されなくても良い。
【００１８】
従来のゴルフバッグに比べて本考案による波紋付き内壁を有するゴルフバッグでは、筒状のバッグ本体１の内壁１１を構成する板状部材の厚みを増やすことなく、ゴルフバッグの耐荷重を明らかに向上させることができる。一方、同じレベルの耐荷重を満足させるには、本考案による波紋付き内壁を有するゴルフバッグによれば、筒状のバッグ本体１の内壁１１を構成する板状部材の所要厚みが明らかに薄くなるため、ゴルフバッグ自体の軽量化が顕著である。
【符号の説明】
【００１９】
１  バッグ本体
２  基底盤
３  硬質なフレーム
４  取っ手
１１  内壁
【図１】
0003164273.tif 000003
【図２】
0003164273.tif 000004
【図３】
0003164273.tif 000005
【図４】
0003164273.tif 000006
【図５】
0003164273.tif 000007
【図６】
0003164273.tif 000008